(57)【特許請求の範囲】
【請求項１】
規定のフレーム構造により時分割多重化されたディジタル伝送信号を伝送する伝送システムに設けられるディジタル信号伝送装置において、
前記ディジタル伝送信号を外部の伝送装置との間で授受する複数の伝送ユニットと、
第１の伝送速度を有する第１装置内伝送路と、
前記記第１の伝送速度より低速の第２の伝送速度を有する第２装置内伝送路と、
前記複数の伝送ユニットに対し前記第１装置内伝送路を介して装置内部で個別に接続され、前記各伝送ユニットの動作状態を前記第１装置内伝送路を介してリアルタイムに監視する複数の第１の監視制御ユニットと、
これら第１の監視制御ユニットに対し前記第２装置内伝送路を介して装置内部で接続され、前記複数の第１の監視制御ユニットにより得られた前記各伝送ユニットの監視情報を前記第２装置内伝送路を介して任意のタイミングで収集して、この収集した各監視情報をもとに自装置を監視する第２の監視制御ユニットとを具備し、
前記複数の第１の監視制御ユニットと、前記第２の監視制御ユニットが有する複数の接続ポートとの間の物理的接続関係が規定されている場合に、
前記複数の第１の監視制御ユニットの各々は、
第１の監視制御ユニットに接続される伝送ユニットの識別情報を入力する入力手段と、
この入力手段により入力された識別情報と前記物理的接続関係とを対応付ける手段とを備えることを特徴とするディジタル信号伝送装置。
【請求項２】
規定のフレーム構造により時分割多重化されたディジタル伝送信号を伝送する伝送システムに設けられるディジタル信号伝送装置において、
前記ディジタル伝送信号を外部の伝送装置との間で授受する複数の伝送ユニットと、
第１の伝送速度を有する第１装置内伝送路と、
前記記第１の伝送速度より低速の第２の伝送速度を有する第２装置内伝送路と、
前記複数の伝送ユニットに対し前記第１装置内伝送路を介して装置内部で個別に接続され、前記各伝送ユニットの動作状態を前記第１装置内伝送路を介してリアルタイムに監視する複数の第１の監視制御ユニットと、
この複数の第１の監視制御ユニットに対し、前記第２装置内伝送路、およびこの第２装置内伝送路より高速の第３装置内伝送路を介して装置内部で接続される第２の監視制御ユニットとを具備し、
前記複数の第１の監視制御ユニットは、
前記各伝送ユニットの監視情報を緊急性の高い第１の監視情報と、緊急性の低い第２の監視情報とに分類する手段と、
前記第１の監視情報を前記第３装置内伝送路により前記第２の監視制御ユニットへ転送し、前記第２の監視情報を前記第２装置内伝送路により前記第２の監視制御ユニットへ転送する手段とを備え、
前記第２の監視制御ユニットは、
前記第３装置内伝送路を介して転送された第１の監視情報をもとに必要な対応処理をリアルタイムに実行する手段と、
前記第２装置内伝送路を介して転送された第２の監視情報をもとに必要な対応処理を任意のタイミングで実行する手段とを備えるディジタル信号伝送装置。
【請求項３】
前記第２装置内伝送路をローカルエリアネットワークにより構成するとともに、前記第３装置内伝送路を監視情報転送用のシリアル入出力バスとその制御線とから構成し、かつ前記ローカルエリアネットワークの集線分配と、前記シリアル入出力バスの集線分配とを共通の集線分配ユニットにより行う請求項２に記載のディジタル信号伝送装置。
【請求項４】
前記シリアル入出力バスの制御線は、前記前記第２の監視制御ユニットと前記複数の第１の監視制御ユニットとの間にそれぞれ個別に接続される第１および第２の補助制御線を備え、
前記第１の補助制御線は、前記複数の第１の監視制御ユニットが、自己が有する情報をそれぞれ前記第２の監視制御ユニットに対して送信する要求を当該第２の監視制御ユニットに通知する場合と、前記第２の監視制御ユニットからの情報転送が完了した旨を、この情報転送を受けた第１の監視制御ユニットから前記第２の監視制御ユニットに通知する場合とに使用され、
前記第２の補助制御線は、前記第２の監視制御ユニットからいずれかの第１の監視制御ユニットに対して情報転送を行う旨を、この情報の宛先の第１の監視制御ユニットに通知するために使用される請求項３に記載のディジタル信号伝送装置。
【請求項５】
前記シリアル入出力バスの制御線は、前記前記第２の監視制御ユニットと前記複数の第１の監視制御ユニットとの間にそれぞれ個別に接続される第１の補助制御線乃至第４の補助制御線を備え、
前記第１の補助制御線は、前記複数の第１の監視制御ユニットが、自己が有する情報をそれぞれ前記第２の監視制御ユニットに対して送信する要求を当該第２の監視制御ユニットに通知する場合に使用され、
前記第２の補助制御線は、前記第２の監視制御ユニットからいずれかの第１の監視制御ユニットに対して情報転送を行う旨を、この情報の宛先の第１の監視制御ユニットに通知するために使用され、
前記第３の補助制御線は、前記第２の監視制御ユニットからの情報転送が完了した旨を、この情報転送を受けた第１の監視制御ユニットから前記第２の監視制御ユニットに通知する場合に使用され、
前記第４の補助制御線は、前記第２の監視制御ユニットからいずれかの第１の監視制御ユニットに対して情報転送を行う場合に、宛先の第１の監視制御ユニットの送信ポートを選択するために使用される請求項３に記載のディジタル信号伝送装置。
【請求項６】
前記複数の第１の監視制御ユニットと、前記第２の監視制御ユニットが有する複数の接続ポートとの間の物理的接続関係が規定されている場合に、
前記複数の第１の監視制御ユニットの各々は、
第１の監視制御ユニットに接続される伝送ユニットの識別情報を入力する入力手段と、
この入力手段により入力された識別情報と前記物理的接続関係とを対応付ける手段とを備える請求項２に記載のディジタル信号伝送装置。
【請求項７】
規定のフレーム構造により時分割多重化されたディジタル伝送信号を伝送する伝送システムに設けられるディジタル信号伝送装置において、
前記ディジタル伝送信号を外部の伝送装置との間で授受する複数の伝送ユニットと、
第１の伝送速度を有する第１装置内伝送路と、
前記記第１の伝送速度より低速の第２の伝送速度を有する第２装置内伝送路と、
前記複数の伝送ユニットに対し前記第１装置内伝送路を介して装置内部で個別に接続され、前記各伝送ユニットの動作状態を前記第１装置内伝送路を介してリアルタイムに監視する複数の第１の監視制御ユニットと、
この複数の第１の監視制御ユニットに対し前記第２装置内伝送路を介して装置内部で接続された第２の監視制御ユニットと、
前記複数の第１の監視制御ユニットと第２の監視制御ユニットとの間を前記第２装置内伝送路に対し独立して接続する装置内警報専用伝送路とを具備し、
前記第２の監視制御ユニットは、前記第１の監視制御ユニット自体の異常状態を前記装置内警報専用伝送路を介して検出する手段を備えるディジタル信号伝送装置。
【請求項８】
第１の監視制御ユニットから第２の監視制御ユニットへ監視情報を転送するために、シリアル入出力バスとその制御線とを用いている場合に、
前記制御線を前記装置内警報専用伝送路として使用する請求項７に記載のディジタル信号伝送装置。
【請求項９】
前記複数の第１の監視制御ユニットと、前記第２の監視制御ユニットが有する複数の接続ポートとの間の物理的接続関係が規定されている場合に、
前記複数の第１の監視制御ユニットの各々は、
第１の監視制御ユニットに接続される伝送ユニットの識別情報を入力する入力手段と、
この入力手段により入力された識別情報と前記物理的接続関係とを対応付ける手段とを備える請求項７に記載のディジタル信号伝送装置。
【発明の詳細な説明】
【０００１】
【技術分野】
この発明は、ディジタル信号伝送装置、なかでもＳＤＨ（ＳＤＨ：Synchronous Digital Hierarchy）またはＳＯＮＥＴ（Synchronous Optical Network）で使用されるディジタル信号伝送装置に係わり、特にこの装置の運用、管理及び保守機能を司るＯＡＭ（Operation Administration and Maintenance）部の改良に関する。
【０００２】
【背景技術】
ディジタル伝送方式の一つとしてＳＤＨが注目されている。ＳＤＨは、各種の高速サービスや既存の低速サービスを有効に多重化するためのインタフェースを規定するものであり、ＩＴＵ−Ｔ勧告により標準化が進んでいる。
【０００３】
ＳＤＨは、基本伝送速度を155.52Mbpsとし、その整数倍、すなわち155.52×N（Ｎは整数）Mbpsを伝送すべき速度としている点に特徴を有する。１フレームは、音声情報の符号化の基本周期である125μsec を時間の単位とし、バイト単位に多重化される。またフレーム構造はバイト単位の行数と列数で表現され、先頭の１〜９例に配置されるオーバヘッドと、１０列目以降に配置される主情報を収容するペイロードとから構成される。
【０００４】
オーバヘッドは、セクションオーバヘッド（ＳＯＨ）と、管理ポインタ（ＡＵ  ＰＴＲ）と、パスオーバヘッド（ＰＯＨ）とからなる。ＳＯＨは主情報を伝達する際のネットワーク管理情報を収容するもので、フレーム同期、誤り監視、警報転送、運用保守用データリンク、システムスイッチ制御等の機能を有する。ＡＵ  ＰＴＲは、ペイロードに収容される多重化情報の先頭位置を指定する。ＰＯＨは、誤り監視警報の転送機能を有する。
【０００５】
ところで、ＳＤＨ伝送装置は、上記したフレーム構造に従いディジタル伝送信号を多重化して伝送する複数の伝送ユニットに加え、装置の運用、管理及び保守のためのＯＡＭ部を備えている。ＯＡＭ部は、現用／予備の切替等の装置制御や伝送品質のモニタ、故障評定等の装置内管理から、伝送路設定制御やネットワーク運用等のシステム的運用／管理に至る広範囲の管理制御機能を有している。この管理制御機能の実現のため、ＯＡＭ部は、伝送ユニット等の各種装置内モジュールに対する入出力インタフェース機能だけでなく、オーバヘッドを用いて外部監視装置との間で伝送される管理情報の入出力インタフェース機能をも備える必要がある。
【０００６】
しかしながら、一般に従来の伝送装置は、ＯＡＭ部に高性能のＣＰＵを備えた監視制御モジュールが設けられ、この監視モジュールにおいてＯＡＭ部のすべての機能が統括的に処理されるように構成されている。このため従来の伝送装置は、監視制御モジュールに大容量の通信ポートを備える必要があり、このことから装置の構成が複雑で大規模になるという不具合を有する。
【０００７】
また、従来の伝送装置は、監視モジュールにおいて高速度の処理を必要とし、このため警報の多発等により制御トラフィックが集中した場合にはパフォーマンスの低下を引き起こすおそれがある。また、従来の伝送装置は、監視制御モジュール自体に障害が発生した場合の対策が不十分である。
【０００８】
【発明の開示】
【０００９】
【発明が解決しようとする課題】
この発明の目的は、装置の運用、管理及び保守に係わる制御を物理的に集中させずに効率良く処理できるようにし、これにより装置の構成の簡素化と信頼性の向上を図り得るディジタル信号伝送装置を提供することにある。
【００１０】
【課題を解決するための手段】
上記目的を達成するためにこの発明は、規定のフレーム構造により時分割多重化されたディジタル伝送信号を伝送する伝送システムに設けられるディジタル信号伝送装置において、
前記ディジタル伝送信号を外部の伝送装置との間で授受する複数の伝送ユニットと、第１の伝送速度を有する第１装置内伝送路と、前記記第１の伝送速度より低速の第２の伝送速度を有する第２装置内伝送路と、前記複数の伝送ユニットに対し前記第１装置内伝送路を介して個別に接続され、前記各伝送ユニットの動作状態を前記第１装置内伝送路を介してリアルタイムに監視する複数の第１の監視制御ユニットと、これら第１の監視制御ユニットに対し前記第２装置内伝送路を介して接続され、前記複数の第１の監視制御ユニットにより得られた前記各伝送ユニットの監視情報を前記第２装置内伝送路を介して任意のタイミングで収集して、この収集した各監視情報をもとに自装置を監視する第２の監視制御ユニットとを具備するようにしたものである。
【００１１】
したがってこの発明によれば、各伝送ユニットの動作状態の監視と、その監視結果に基づく装置全体の監視対応処理とが、それぞれ第１の監視制御ユニット及び第２の監視制御ユニットにおいて分担して実行される。このため、各伝送ユニットの監視に係わるすべての制御を一つの主監視制御ユニットで集中的に行う場合に比べ、伝送ユニットが多数の場合でもその動作状態をリアルタイムに確実に監視できるようになり、また主監視制御ユニットから大容量の通信ポートや高速度の処理を不要にして、汎用の構成により効率的な監視制御を行うことが可能となる。
【００１２】
また、各伝送ユニットごとに第１の監視制御ユニットを設けているので、特定の第１の監視制御ユニットが誤動作や故障を起こしても、他の第１の監視制御ユニットによる監視動作は引き続き行うことができ、これにより装置の信頼性を高めることができる。
【００１３】
【発明を実施するための最良の形態】
以下、図面を参照して本発明の実施の形態を詳細に説明する。
（第１の実施形態）
図１は、本発明の実施の形態に係わるディジタル伝送装置の第１の実施形態であるＳＤＨ伝送装置を備えた伝送システムのシステム構成図である。このシステムは、ラインケーブルＯＦを介してリング状に接続されたｎ個の伝送装置Ｎ１〜Ｎｋを備える。ラインケーブルＯＦの伝送容量は、ＳＤＨでいうところのＳＴＭ−６４（Synchronous Transfer Module-Level 64）とする。
【００１４】
ラインケーブルＯＦは、現用系伝送路ＳＬと予備系伝送路ＰＬとを備え、各伝送路ＳＬ，ＰＬは時計回り（ＣＷ：Clockwise）回線と反時計回り（ＣＣＷ：Counter Clockwise）回線とを備える。
【００１５】
伝送装置Ｎ１〜Ｎｋは、ラインケーブルＯＦを介して伝送されるＳＴＭ−６４フレームに時分割多重されたタイムスロットのうち、所定のスロットをドロップする。このドロップされたスロットは、トリビュタリ側の交換機、端局装置などの低次群装置（符号付さず）にトリビュタリ伝送路ＬＬを介して低次群信号として送出される。
【００１６】
また伝送装置Ｎ１〜Ｎｋは、低次群装置からトリビュタリ伝送路ＬＬを介して送られたＳＴＭ−１，ＳＴＭ−４，ＳＴＭ−１６，ＳＴＭ−６４などの低次群信号を、ＳＴＭ−６４フレームの所定スロットに多重する。この多重された信号は、他の伝送装置に向け送出される。このようにして、伝送装置Ｎ１〜Ｎｋ間に所定の伝送容量の通信パス（Path）が設定される。
【００１７】
また図１のシステムは、複数の監視制御装置Ｍ１〜Ｍｋを備える。監視制御装置Ｍ１〜Ｍｋは、それぞれＬＡＮ（Local Area Network）を介して伝送装置Ｎ１〜Ｎｋに接続される。監視制御装置Ｍ１〜Ｍｋは、伝送装置Ｎ１〜Ｎｋからおのおの通知される通知情報をもとに、ネットワークおける通信パスの設定や警報監視などの各種制御を実行する。監視制御装置Ｍ１〜Ｍｋのこのような機能は、例えば汎用のワークステーションに専用のアプリケーションソフトを搭載して実現される。
【００１８】
また図１のシステムは、ネットワークの動作クロックを供給するクロック供給装置（Digital Clock Supply：ＤＣＳ）３００を複数備える。伝送装置Ｎ１〜Ｎｋは、いずれかのクロック供給装置３００から動作クロックを得て、この動作クロックに同期して動作する。いずれかのクロック供給装置３００に障害が発生すると、伝送装置Ｎ１〜Ｎｋは他のクロック供給装置３００に動作クロックの取得先を切り替える。
【００１９】
図２は、本発明の実施形態に係わるＳＤＨ伝送装置Ｎ１〜Ｎｋの構成を示す図である。図３において、符号１はラインインタフェース部（ＨＳ Ｉ／Ｆ）である。ラインインタフェース部１には、現用系伝送路ＳＬが接続される現用系ラインインタフェース部（ＨＳ Ｉ／Ｆ（SRV））と、予備系伝送路ＰＬが接続される予備系ラインインタフェース部（ＨＳ Ｉ／Ｆ（PRT））とが有る。
【００２０】
ラインインタフェース部１介して装置内部に引き込まれたＳＴＭ−６４信号は、タイムスロット交換部（ＴＳＡ：Time Slot Assignment）３に与えられる。タイムスロット交換部３は、このＳＴＭ−６４信号に時分割多重されたタイムスロットのうち所定のタイムスロットをドロップする。このドロップされたスロットは、トリビュタリインタフェース部（ＬＳ Ｉ／Ｆ）２１〜２ｎを介して、低次群信号としてトリビュタリ伝送路ＬＬから送出される。逆に、トリビュタリ伝送路ＬＬからトリビュタリインタフェース部（ＬＳ Ｉ／Ｆ）２１〜２ｎを介して装置内部に導入された低次群信号は、タイムスロット交換部３に与えられ、ＳＴＭ−６４フレームの所定のタイムスロットにアッドされて、ラインケーブルＯＦを介して他の伝送装置に送出される。
【００２１】
ここで、タイムスロット交換部３は、現用系（ＴＳＡ（SRV））と予備系（ＴＳＡ（PRT））とで対を成して二重化されている。タイムスロット交換部（ＴＳＡ（SRV）に障害が生じた場合には、タイムスロット交換部（ＴＳＡ（PRT））が代わりに動作する。このようにして、装置内冗長が実現される。
【００２２】
なお定常時には、タイムスロット交換部（ＴＳＡ（PRT））はパートタイムトラフィック（Ｐ／Ｔ）の伝送に係わる動作をする。パートタイムトラフィックとは現用系を流れるサービストラフィックとは異なる情報を載せた信号であり、通常の場合、サービストラフィックよりも優先度の低いトラフィックとして取り扱われる。
【００２３】
このほか、図２の伝送装置Ｎ１〜Ｎｋは、制御部１１と、各種の制御プログラムなどを記憶した記憶部６と、監視制御装置Ｍ１〜Ｍｋとのインタフェースをとる管理網インタフェース（Ｉ／Ｆ）７と、装置内の各デバイスに動作クロックを供給するタイミング生成部１８とを備える。制御部１１は、運用管理保守装置（ＯＡＭ）４を備える。
【００２４】
ところで運用管理保守装置４は、ＳＤＨ伝送装置の運用、管理及び保守に係わる制御を統括するもので、次のように構成される。図３はその構成を示す回路ブロック図である。すなわち運用管理保守装置４は、主監視制御モジュール５０を備えた装置本体５と、前記高速信号伝送部１及び各低速信号伝送部２１〜２ｎに対応して一対一に設けられた複数の副監視制御モジュール６０〜６ｎとを備えている。なお、図示していないが、回線接続部３にも副監視制御モジュールが対応して設けられている。
【００２５】
各副監視制御モジュール６０〜６ｎは、ＣＰＵなどの制御デバイスに加え、バスインタフェースを有しており、このバスインタフェースに高速信号伝送部１及び各低速信号伝送部２１〜２ｎがＣＰＵバス７を介してそれぞれ接続される。そして、高速信号伝送部１及び各低速信号伝送部２１〜２ｎの動作状態を、ＣＰＵバス７を介してそれぞれリアルタイムに監視する。また各副監視制御モジュール６０〜６ｎはＬＡＮインタフェースを有しており、装置本体５の後述する収集分配モジュール（ＨＵＢ）５１に対しＬＡＮ伝送路８０〜８ｎを介して接続される。そして、上記高速信号伝送部１及び各低速信号伝送部２１〜２ｎの動作状態の監視結果を、それぞれ上記ＬＡＮ伝送路８０〜８ｎを介して装置本体５へ送出する。
【００２６】
一方装置本体５は、主監視制御モジュール５０に加え、収集分配モジュール５１を備えている。収集分配モジュール５１はＬＡＮのセンタノードとして機能するもので、上記各副監視制御モジュール６０〜６ｎから送出された監視情報をＬＡＮを介してそれぞれ主監視制御モジュール５０に転送する。主監視制御モジュール５０は、上記副監視制御モジュール６０〜６ｎから、対応する各伝送部１，２１〜２ｎの監視情報をＬＡＮを介して収集し、この収集した監視情報をもとに、装置内の構成及び伝送品質の監視、警報の発生処理、現用／予備の切替制御等の装置の運用に必要な処理を統括的に実行する。なお、ＬＡＮには、例えば10BASE-Tのイーサネット（登録商標）が用いられる。
【００２７】
また装置本体５には、上記主監視制御モジュール５０とは別にリレーインタフェースモジュール５６が設けてある。このリレーインタフェースモジュール５６は、ＰＩＯ（Parallel Input Output）を介して上記主監視制御モジュール５０に接続され、主監視制御モジュール５０の指示に従い表示ランプ駆動用のリレー接点信号を発生し、このリレー接点信号を図示しない局舎に設けられている表示盤に供給する。
【００２８】
さらに装置本体５には、上記主監視制御モジュール５０とは別に、メッセージコントロールモジュール５２と、３個の外部インタフェースモジュール５３，５４，５５が設けてある。これらのメッセージコントロールモジュール５２、及び３個の外部インタフェースモジュール５３，５４，５５は、前記主監視制御モジュール５０が装置内の運用、管理及び保守を制御する機能を有しているのに対し、外部監視装置等の外部装置との間で監視情報を送受信するために必要なプロトコル処理やメッセージ変換処理機能を有している。
【００２９】
すなわち、先ずメッセージコントロールモジュール５２は、主監視制御モジュール５０に対し小型計算機システムインタフェース（ＳＣＳＩ：Small Computer System Interface）バスを介して接続される。そして、主監視制御モジュール５０の指示又は自己の判断により、警報等の監視情報を図示しない保守端末へ出力するとともに、必要に応じて後述するＱ３インタフェースモジュール５３を介して外部監視制御装置へ送出する。
【００３０】
外部インタフェースモジュール５３，５４，５５は、具体的にはＱ３インタフェースモジュール（Ｑ  ＩＮＦ）５３と、ＲセクションＤＣＣインタフェースモジュール（ＥＣＣ  Ｒ）５４と、ＭセクションＤＣＣインタフェースモジュール（ＥＣＣ  Ｍ）５５とから構成される。これらの外部インタフェースモジュール５３，５４，５５は、上記メッセージコントロールモジュール５２に対し共有メモリＣＰＵバス（ＶＭＥバス）を介して接続されている。
【００３１】
Ｑ  ＩＮＦ５３は、運用管理保守装置４の異常や伝送品質等を管理するもので、図示しない外部監視制御装置との間でＬＡＮ（10BASE2）を介して警報等の監視情報の授受を行う。ＥＣＣ  Ｒ５４は、システムのＳＤＨ伝送装置間で中継伝送されるオーバヘッドに関する情報をＬＡＰＤ（192Kbps）を介して送受信する。ＥＣＣ  Ｍ５５は、ＳＤＨ伝送装置と端局装置との間で伝送されるオーバヘッドに関する情報をＬＡＰＤ（576Kbps）を介して送受信する。
【００３２】
以上のような構成であるから、高速信号伝送部１及び各低速信号伝送部２１〜２ｎの動作状態は、それぞれＣＰＵバス７を介して一対一に対応している副監視制御モジュール６０〜６ｎによりリアルタイムに監視される。このため、高速信号伝送部１及び各低速信号伝送部２１〜２ｎで動作異常が発生すると、この動作異常は対応する副監視制御モジュールにおいてもれなくリアルタイムに検出される。したがって、多数ある伝送部１，２１〜２ｎの動作状態を確実にしかも高速度に検出することができる。
【００３３】
また、各副監視制御モジュール６０〜６ｎは互いに独立して動作しているため、副監視制御モジュール６０〜６ｎのいずれかに障害が発生しても、この障害が他の伝送部の監視動作に波及する心配はない。このため、伝送部１，２１〜２ｎの監視動作についての信頼性を高く保つことができる。
【００３４】
一方主監視制御モジュール５０は、上記各副監視制御モジュール６０〜６ｎにおいてそれぞれ収集された各伝送部の監視情報を、ＬＡＮ８を介して時分割で収集して処理している。このため、主監視制御モジュール５０は、伝送部１，２１〜２ｎが多数ある場合でも、その動作状態を比較的ゆっくりとした処理速度で収集して処理することが可能となる。
【００３５】
すなわち、主監視制御モジュール５０に高速度の処理機能を持たせることなく、多数の伝送部１，２１〜２ｎの動作状態を確実に監視して対応処理を行うことが可能となる。また、主監視制御モジュール５０には各伝送部１，２１〜２ｎに対応した多数の通信ポートを設ける必要がなくなるので、その分配線構造は簡素化され、これにより主監視制御モジュール５０のパフォーマンス低下を防止できる。
【００３６】
また、装置内で障害が発生すると、主監視制御モジュール５０からリレーインタフェースモジュール５６に対しＰＩＯを介して表示駆動指示が与えられる。そして、この指示を受けるとリレーインタフェースモジュール５６からリレー接点信号が発生されて局舎の表示盤に供給され、これにより対応する表示ランプが点灯する。すなわち、リレー接点信号の発生動作は装置内の他のモジュールから独立して行われる。このため、ノイズ等によるリレー接点信号の誤発生は防止され、これにより信頼性の高い状態表示を行うことが可能となる。
【００３７】
さらに、装置内で障害が発生した場合、その旨がＳＣＳＩバスを介してメッセージコントロールモジュール５２に通知され、このメッセージコントロールモジュール５２で警報が発生されて保守端末に通知される。このため、保守端末に対する警報等の監視情報の通知及び保守端末からの操作情報の入力についても、前記伝送部１，２１〜２ｎの動作監視と同様、主監視制御モジュール５０に直接頼ることなくメッセージコントロールモジュール５２により確実に行うことができる。
【００３８】
また、外部監視制御装置との間の監視情報の授受、中継セクションにおけるオーバヘッド情報の送受信、及び端局セクションにおけるオーバヘッド情報の送受信が、それぞれ専用の外部インタフェースモジュール５３，５４，５５において独立して行われる。このため、外部装置との監視情報の授受及びオーバヘッド情報の送受信についても、前記伝送部１，２１〜２ｎの動作監視や保守端末との間の情報の送受信と同様に、主監視制御モジュール５０に直接頼ることなく確実に行うことができる。
【００３９】
したがって、保守端末や外部監視制御装置等の外部との情報の送受信についても、主監視制御モジュール５０にはそれ専用の接続ポートを設ける必要がなくなり、これにより主監視制御モジュール５０周辺の配線構造は簡素化される。また主監視制御モジュール５０には外部インタフェース処理を直接行う機能を持たせる必要がなくなるので、その分主監視制御モジュール５０の処理負担は軽減される。さらに、メッセージコントロールモジュール５２及び外部インタフェースモジュール５３，５４，５５は互いに独立して動作するため、このうちのいずれか一つに障害が発生してもその影響は他のモジュールに波及しない。このため、外部インタフェース処理についても高い動作信頼性が確保される。
【００４０】
なお、この第１の実施形態では、各外部インタフェースモジュール５３，５４，５５をメッセージコントロールモジュール５２を介して主監視制御モジュール５０に接続した場合を例示したが、各外部インタフェースモジュール５３，５４，５５を主監視制御モジュール５０に直接接続するように構成してもよい。
【００４１】
（第２の実施形態）
この発明に係わる第２の実施形態は、装置内の運用、管理及び保守動作を統括する主監視制御モジュールと、外部装置との間の監視情報及びオーバヘッド情報の授受を統括するメッセージコントロールモジュールに、相互の動作状態を監視し合う機能をさらに設け、相手モジュールの動作異常を検出した場合に警報を発するようにしたものである。
【００４２】
図４及び図５は、その構成と動作を説明するための要部構成図である。なお、運用管理保守装置４の全体構成については、前記第１の実施形態で述べたもの（図３）と同一であるためここでの図示及びその説明は省略する。
【００４３】
装置本体５は、装置内監視制御機能部５ａと、外部装置インタフェース機能部５ｂとに機能分けされる。装置内監視制御機能部５ａには、主監視制御モジュール５０と、収集分配モジュール５１と、リレーインタフェースモジュール５６とが含まれる。一方、外部装置インタフェース機能部５ｂには、メッセージコントロールモジュール５２と、Ｑ３インタフェースモジュール（Ｑ  ＩＮＦ）５３と、ＲセクションＤＣＣインタフェースモジュール（ＥＣＣ  Ｒ）５４と、ＭセクションＤＣＣインタフェースモジュール（ＥＣＣ  Ｍ）５５とが含まれる。
【００４４】
そして、装置内監視制御機能部５ａの主監視制御モジュール５０には、メッセージコントロールモジュール５２の動作状態をＳＣＳＩバスを介して監視する監視手段と、この監視手段により動作異常が検出された場合にその旨の通知信号ＡＳａをリレーインタフェースモジュール５６から発生させて図示しない表示盤に表示させる異常通知手段とが新たに備えられている。
【００４５】
一方、外部装置インタフェース機能部５ｂのメッセージコントロールモジュール５２には、主監視制御モジュール５０の動作状態をＳＣＳＩバスを介して監視する監視手段と、異常通知手段とが新たに備えられている。この異常通知手段は、上記監視手段により主監視制御モジュール５０の動作異常が検出された場合に、その旨の通知信号ＢＳｂを図示しない保守端末へ送出する機能と、同様の内容の通知信号ＡＳｂをＱ  ＩＮＦ５３から図示しない外部監視制御装置へ送出する機能とを有する。
【００４６】
このような構成であるから、いま例えばメッセージコントロールモジュール５２においてＣＰＵの暴走等の動作異常が発生したとする。そうすると、この動作異常は、主監視制御モジュール５０において、例えばメッセージコントロールモジュール５２からの応答が一定時間ないことを監視することで検出される。そして、この動作異常が検出されると、主監視制御モジュール５０からリレーインタフェースモジュール５６に対し、メッセージコントロールモジュール５２の動作異常を通知するための指示が与えられ、これを受けてリレーインタフェースモジュール５０からその旨の通知信号ＡＳａが発生されて表示盤に送出される。従って、表示盤にはメッセージコントロールモジュール５２で動作異常が発生した旨が表示される。
【００４７】
一方、主監視制御モジュール５０においてＣＰＵの暴走等の動作異常が発生したとする。そうするとこの動作異常は、メッセージコントロールモジュール５２において、例えば主監視制御モジュール５０からの応答が一定時間ないことを監視することで検出される。そして、この動作異常が検出されると、メッセージコントロールモジュール５２から、主監視制御モジュール５０の動作異常を保守端末に表示するための通知信号ＢＳｂが発生され、保守端末へ送出される。また同時に、主監視制御モジュール５０の動作異常を外部監視制御装置に通知するための通知信号ＡＳｂが発生され、この通知信号ＡＳｂはＱ  ＩＮＦ５３を介して外部監視制御装置へ送出される。
【００４８】
このように第２の実施形態によれば、主監視制御モジュール５０及びメッセージコントロールモジュール５２で互いに動作異常を監視し合うようにしているので、主監視制御モジュール５０及びメッセージコントロールモジュール５２の動作異常を確実に検出して装置外部に通知することができる。したがって、装置の信頼性を高めることができる。しかも、主監視制御モジュール５０及びメッセージコントロールモジュール５２をそれぞれ二重化することなく、既存の構成を有効に使用することで実現できるので、装置の小型化及びコストダウンを図ることができる。
【００４９】
なお、この第２の実施形態では、主監視制御モジュール５０とメッセージコントロールモジュール５２との間で互いの動作状態を監視し合う場合について述べた。しかしそれに限らず、主監視制御モジュール５０において、メッセージコントロールモジュール５２ばかりでなくこれに接続されるすべての外部インタフェースモジュール５３，５４，５５の動作状態もそれぞれ監視するようにしてもよく、またメッセージコントロールモジュール５２において、主監視制御モジュール５０だけでなくリレーインタフェースモジュール５６の動作状態を監視するように構成してもよい。
【００５０】
（第３の実施形態）
この発明に係わる第３の実施形態は、各伝送部ごとに設けられた副監視制御モジュールと、主監視制御モジュールとの間を、スター型ＬＡＮとスター型のシリアル入出力バスにより接続する。そして、各副監視制御モジュールで得られた監視情報のうち、緊急性が要求されない一般的な監視情報についてはＬＡＮを介して主監視制御モジュールへ転送し、これに対し緊急性が要求される特別な監視情報についてはシリアルバスを介して主監視制御モジュールへ転送するようにしたものである。
【００５１】
図６は、この第３の実施形態に係わる運用管理保守装置の構成を示す回路ブロック図である。なお、同図において前記図３と同一部分には同一符号を付して詳しい説明は省略する。
【００５２】
各副監視制御モジュール９０〜９ｎは、ＬＡＮ伝送路８０〜８ｎ及びシリアル入出力バス１０を介して収集分配モジュール５１１に接続されている。また収集分配モジュール５１１と主監視制御モジュール５０１との間も、ＬＡＮ伝送路８及びシリアル入出力バス１０を介して接続されている。また、上記収集分配モジュール５１１は、ＬＡＮ伝送路８，８０〜８ｎの収集分配を行うセンタノードとしての機能と、シリアル入出力バス１０の収集分配を行うセンタノードとしての機能とを共有している。
【００５３】
図７は、上記スター型ＬＡＮ及びスター型シリアル入出力バスの構成をさらに詳しく示したものである。同図において、主監視制御モジュール５０１と各副監視制御モジュール９０〜９ｎとの間は、シリアル入出力コントロール線（ＳＩＯ制御線）ＳＳ１を介して接続されている。このＳＩＯ制御線ＳＳ１は、シリアル入出力バス１０による情報転送を制御するために使用するもので、このＳＩＯ制御線ＳＳ１を介して通信プロトコル等が制御される。
【００５４】
各副監視制御モジュール９０〜９ｎはそれぞれ、信号伝送部１，２１〜２ｎの動作状態を監視して得た監視情報を、信号送信部内の異常や回線切替を伴う伝送品質劣化等のような緊急性が高い監視情報と、伝送路品質に関する情報等のような比較的緊急性が低い監視情報とに分類する機能と、この分類結果に応じ、緊急性の高い監視情報をシリアル入出力バス１０を介して主監視制御モジュール５０１へ送出するとともに、緊急性の低い監視情報をＬＡＮ伝送路８０〜８ｎを介して主監視制御モジュール５０１へ送出する機能とを備えている。
【００５５】
主監視制御モジュール５０１は、シリアル入出力バス１０を介して緊急性の高い監視情報を受信した場合には、この監視情報をリアルタイムに分析して適切な対応処理を実行する。一方、ＬＡＮ伝送路８を介して監視情報を受信した場合には、この監視情報を一旦蓄積して任意のタイミングで読み出し処理する。
【００５６】
このような構成であるから、副監視制御モジュール９０〜９ｎにおいて検出された信号伝送部の伝送路品質情報収集に関する一般的な監視情報は、緊急性が低い監視情報に分類されたのち、ＬＡＮ伝送路８０〜８ｎを介して主監視制御モジュール５０１に転送される。そして、この監視情報は主監視制御モジュール５０１において任意のタイミングでバッチ処理される。このため、主監視制御モジュール５０１は、複数の信号伝送部１，２１〜２ｎの監視情報を、高速処理を必要とせずに効率良く処理することができる。
【００５７】
一方、いま例えば任意の信号伝送部において信号送信部内の異常や回線切替を伴う伝送品質劣化等の緊急に対応処理する必要がある異常が検出されたとする。そうすると、この動作異常の監視情報は、緊急性が高い監視情報に分類されたのち、シリアル入出力バスを介して主監視制御モジュール５０１に転送される。そして、この監視情報は主監視制御モジュール５０１においてリアルタイムに処理される。すなわち、信号送信部内の異常や回線切替を伴う伝送品質劣化等の緊急性が高い監視情報が得られた場合には、シリアル入出力バス１０を介して高速度に主監視制御モジュール５０１に転送され、リアルタイムに処理されることになる。したがって、緊急性の高い障害に対しては、ＬＡＮのコリジョン・再送処理等の伝送路ボトルネックの影響を受けることなく、いち早く適切な対応処理を実行することができる。
【００５８】
また収集分配モジュール５１１には、ＬＡＮのセンタノードとシリアル入出力バスのセンタノードが集約されて収容されている。このため、ＬＡＮとシリアル入出力バスを別個に敷設する場合に比べ、装置内の配線構造を簡素化することができる。
【００５９】
（第４の実施形態）
この発明に係わる第４の実施形態は、シリアル入出力バス１０を介した情報転送に対する、ＳＩＯ制御線ＳＳ１による制御の具体例を開示するものである。
図８は、本実施形態におけるシリアル入出力バス１０およびＳＩＯ制御線ＳＳ１の構成を示す図である。図８においては、主監視制御モジュール５０１をマスタ、副監視制御モジュール９０〜９ｎをターゲットと称する。
【００６０】
図８において、シリアル入出力バス１０は、マスタからターゲットに情報を転送する伝送路と、ターゲットからマスタに情報を転送する伝送路とからなる。図８において、シリアル入出力バス１０を形成する個々の信号線は、互いに逆相の信号を伝送する２本の伝送線から構成されている。これはノイズへの耐性を高めるためのものである。もちろん、耐ノイズ性への要求の度合いに応じて、各信号線を１本の伝送線で構成しても良い。
【００６１】
一方、ＳＩＯ制御線ＳＳ１は、マスタから個々のターゲットに対して個別に接続される、２本の双方向の制御線から形成される。２本の制御線のうち一方は、ＡＴＮ（Attention）制御線（ＡＴＮ０〜ＡＴＮｎ）である。このＡＴＮ制御線は、各ターゲットが有する情報をマスタに対して送信する際の送信要求を転送するための信号線である。２本の制御線のうち他方は、ＤＭＤ（Demand）制御線（ＤＭＤ０〜ＤＭＤｎ）である。ＤＭＤ制御線は、マスタから各ターゲットに対して、情報の送信を許可する旨を転送するための信号線である。すなわち、ＡＴＮ制御線はマスタに対しては入力、ターゲットにとっては出力である。ＤＭＤ制御線はマスタにとっては出力で、ターゲットに対しては入力である。マスタと個々のターゲットとは、上記２種類の制御線を介してそれぞれ１対１で接続される。そして、ＤＭＤ制御線がアクティブの時に、個々のターゲットの送信ポートをオープンとするようにする。
【００６２】
図９は、図８の構成においてマスタからターゲットに向けた情報転送を行う際の通信手順を示す図である。図９において、マスタはターゲットからの情報転送の完了ののち、マスタ転送フェーズを開始する旨を同報で各ターゲットへ通知する。この通知を受けたターゲットは、情報転送要求を取り下げ、ＡＴＮ制御線をディセーブル（非アクティブ）とする。
【００６３】
マスタはＳＩＯ制御線ＳＳ１の状態をモニタし、全てのターゲットのＡＴＮ制御線がディセーブルされたことを確認したのち、任意のターゲットに対して個別に情報転送を行う（個別マスタ転送）。この個別マスタ転送の際にマスタからターゲットに転送される情報には、宛先とするターゲットの送信アドレスが付加される。図９では、副監視制御モジュール９０を宛先ターゲットとする。
【００６４】
副監視制御モジュール９０は、マスタからのデータ受信が正常に完了すると、ＡＴＮ制御線を用いてデータ受信完了の旨をマスタに通知する。すなわち、ＡＴＮ制御線を用いてマスタにＡＣＫ（Acknowledge）を返送する。
【００６５】
ＡＣＫを受信したマスタは、マスタ転送フェーズを終了する旨を同報にて各ターゲットに通知する。これを受けて、マスタ転送フェーズの開始前に情報転送を要求していたターゲットは、転送要求を再開する。
【００６６】
図１０は、図８の構成においてターゲットからマスタに向けた情報転送を行う際の通信手順を示す図である。図１０において、送信要求を有するターゲットはＤＭＤ信号線がディセーブルであることを確認したのち、ＡＴＮ制御線をアサートしてマスタに情報転送要求を通知する。
【００６７】
この情報転送要求を受けたマスタは、他のＡＴＮ線を確認し、各ターゲットの転送要求を調停する。図１０では、先に転送要求を通知した副監視制御モジュール９０に優先権が与えられたものとし、その結果、マスタは副監視制御モジュール９０のＤＭＤ制御線をアサートする。
【００６８】
そうすると、副監視制御モジュール９０はこのＤＭＤアサートにより、自己に接続されたシリアル入出力バス１０の送信ポートを開き、送信データをシリアル入出力バス１０に送り出す。この情報送出が完了すると、副監視制御モジュール９０はＡＴＮ線をネゲートする。マスタは、ＡＴＮ線ネゲートを検知すると、副監視制御モジュール９０のＤＭＤ制御線をネゲートし、待機状態であった副監視制御モジュール９１のＤＭＤ制御線をアサートする。そうすると、副監視制御モジュール９１はマスタに向け送信データの送出を開始する。
【００６９】
このように本実施形態では、シリアル入出力バス１０を用いた情報転送を制御するための補助制御線を、各ターゲットごとに２つ設けた。そして、この制御線のレベル変化により、マスタとターゲットとの間での割り込みや、ＡＣＫ信号（受信完了通知）の送受信などを行うようにした。このような構成であるから、マスタとターゲットとの間での情報転送要求などのメッセージを授受する際に、メッセージをパケットの状態で授受する必要が無くなる。したがって、シリアル入出力バス１０における情報伝送の高速化を図ることが可能になる。
【００７０】
（第５の実施形態）
この発明に係わる第５の実施形態は、シリアル入出力バス１０を介した情報転送に対する、ＳＩＯ制御線ＳＳ１による制御の別の具体例を開示するものである。
図１１は、本実施形態におけるシリアル入出力バス１０およびＳＩＯ制御線ＳＳ１の構成を示す図である。なお図１１において図８と共通する部分には同一の符号を付し、ここでは異なる部分についてのみ説明する。
【００７１】
図１１において、ＳＩＯ制御線ＳＳ１は、マスタから個々のターゲットに対して個別に接続される、４本の双方向の制御線から形成される。このうち２本の制御線は図８と同様のＡＴＮ制御線（ＡＴＮ０〜ＡＴＮｎ）及びＤＭＤ制御線（ＤＭＤ０〜ＤＭＤｎ）である。
【００７２】
残る２本の制御線のうち一方は、ＳＥＬ（Selection）制御線（ＳＥＬ０〜ＳＥＬｎ）である。このＳＥＬ制御線は、マスタが任意のターゲットの送信ポートを選択するために使用する制御線である。残る２本の制御線のうち他方は、ＡＣＫ（Acknowledge）制御線（ＡＣＫ０〜ＡＣＫｎ）である。ＡＣＫ制御線は、各ターゲットからマスタに対して、情報の受信が完了した旨を通知するために使用する制御線である。すなわち、ＳＥＬ制御線はマスタにとっては出力で、ターゲットに対しては入力である。ＡＣＫ制御線はマスタに対しては入力、ターゲットにとっては出力である。マスタと個々のターゲットとは、上記４種類の制御線を介してそれぞれ１対１で接続される。そして、ターゲット側ではＳＥＬ制御線がアクティブの時に受信ポートをオープンとし、ＤＭＤ制御線がアクティブの時に送信ポートをオープンとするようにする。
【００７３】
図１２は、図１１の構成においてマスタからターゲットに向けた情報転送を行う際の通信手順、および、ターゲットからマスタに向けた情報転送を行う際の通信手順を示す図である。図１２において、マスタからターゲットに対して通信を行う場合、マスタは、情報転送の対象とするターゲットのＳＥＬ制御線をアサートする（マスタＳＥＬ制御）。自己に接続されたＳＥＬ制御線をアサートされたターゲットは、受信ポートのゲートを開きマスタからの情報転送に備える。次いでマスタは、送信ポートから送信データを伝送し、情報転送が完了するとＳＥＬ制御線をネゲートする。
【００７４】
一方、宛先のターゲットは、マスタからの情報を正常に受信できた場合にはＡＣＫ制御線をアクティブとし、受信完了の旨を通知する。
【００７５】
これに対し、ターゲットからマスタに対して通信を行う場合、送信要求を持つターゲットは、マスタに対してＡＴＮ制御線をアサートする。マスタは、他のＡＴＮ制御線をモニタし、送信要求を持つターゲットが複数有る場合には、調停処理を行い、情報送信を許可するターゲットを一つ選択する。そして、マスタは、選択されたターゲットのＤＭＤ制御線をアサートする。
【００７６】
ＤＭＤ制御線をアサートされたターゲットは、送信ポートのゲートを開いてシリアル入出力バス１０に送信データを送出し、データ送出の完了ののちＡＴＮ線をネゲートする。マスタはＡＴＮ線ネゲートをみてＤＭＤ線をネゲートする。またマスタは、ＳＥＬ制御線をアクティブとして受信完了の旨をターゲットに通知する。
【００７７】
このように本実施形態では、ＡＴＮ制御線とＤＭＤ制御線とに加えて、マスタが任意のターゲットの送信ポートを選択するために使用するＳＥＬ制御線と、各ターゲットからマスタに対して、情報の受信が完了した旨を通知するために使用するＡＣＫ制御線とをさらに備えるようにしている。そして、ターゲットからマスタに対する情報転送要求と、ＡＣＫ情報の通知とを、それぞれ別の制御線を用いて行うようにしている。
【００７８】
このようにしたので、シリアル入出力バス１０の伝送路の情報伝達効率を更に向上させ、情報伝送帯域を見かけ上、大きくすることが可能になる。このことから、シリアル入出力バス１０における情報伝送の更なる高速化を図ることが可能になる。
【００７９】
（第６の実施形態）
この発明に係わる第６の実施形態は、各副監視制御モジュールと主監視制御モジュールとの間に、信号伝送部の監視情報を転送するための伝送路とは別に、副監視制御モジュール自体の異常を通知するための伝送路を敷設し、副監視制御モジュールにおいて電源断や基板の未装着等と云った各副監視制御モジュール自体の異常が発生した場合に、この異常を上記専用伝送路を介して主監視制御モジュールに通知するようにしたものである。
【００８０】
図１３に、この第６の実施形態に係わる装置の要部構成を示す。
同図において、主監視制御モジュール５０１と各副監視制御モジュール９０〜９ｎとの間には、シリアル入出力コントロール線（ＳＩＯ制御線）ＳＳ１に加えて、別のＳＩＯ制御線ＳＳ２が敷設してある。ＳＩＯ制御線ＳＳ２は独立した複数の信号線により構成されている。ＳＩＯ制御線ＳＳ２を構成する複数の信号線は、１本が副監視制御モジュール９０〜９ｎの電源断を通知するための信号線、１本が副監視制御モジュール９０〜９ｎの基板未装着を通知するための信号線としてそれぞれ使用される。
【００８１】
このような構成であるから、いま例えば副監視制御モジュール９０〜９ｎのいずれかにおいて電源断が発生したとする。そうすると、この電源断が発生した副監視制御モジュールから、電源断警報がＳＩＯ制御線ＳＳ２の電源断通知用の信号線を介して主監視制御モジュール５０１に直接通知される。また、副監視制御モジュール９０〜９ｎのいずれかにおいて基板が未装着だった場合にも、その旨の警報がＳＩＯ制御線ＳＳ２のうちの基板未装着通知用信号線を介して主監視制御モジュール５０１に通知される。
【００８２】
ここで、信号伝送部１，２１〜２ｎで異常が発生した場合、副監視制御モジュール９０〜９ｎさえ正常に機能していればその旨の警報は監視情報の一つとして主監視制御モジュール５０１に確実に通知される。しかし、副監視制御モジュール９０〜９ｎ自体が電源断や基板の未装着等により正常動作していない場合には、当該警報は通知されない。
【００８３】
これに対し第６の実施形態では、副監視制御モジュール９０〜９ｎ自体が電源断や基板の未装着等により正常に機能していない場合には、その旨の警報が専用のＳＩＯ制御信号線を介して主監視制御モジュール５０１に通知される。このため、主監視制御モジュール５０１は、副監視制御モジュール９０〜９ｎ自体の異常を信号伝送部１，２１〜２ｎの動作異常と分けて確実に検出することができ、これによりそれぞれ最適な対応処置を講じることができる。
【００８４】
また第６の実施形態では、シリアル入出力バス１０のデータ転送制御用としてすでに設けられているＳＩＯ制御線ＳＳ１の余剰信号線を使用して、副監視制御モジュール９０〜９ｎの電源断及び基板未装着を通知するようにしている。このため、電源断及び基板未装着の通知のために新たな信号線を敷設する必要がなく、これにより装置内の配線構造を複雑化することなく実現できる利点がある。
【００８５】
（第７の実施形態）
この発明に係わる第７の実施形態は、各信号伝送部の電源板の異常を副監視制御モジュールで検出し、この電源板の異常検出情報を信号伝送部のその他の動作異常の監視結果と共に、ＬＡＮ又はシリアル入出力バスを介して主監視制御モジュールに転送するようにしたものである。
【００８６】
図１４は、この第７の実施形態に係わる運用管理保守装置の要部構成を示す回路ブロック図である。
同図において、各信号伝送部は電源板１２０〜１２ｎとその他の機能基板１３０〜１３ｎとから構成される。これらの信号伝送部には、一対一に対応して副監視制御モジュール１１０〜１１ｎが設けられており、これらの信号伝送部と副監視制御モジュール１１０〜１１ｎとの間はＣＰＵバス１５０〜１５ｎを介して接続されている。また副監視制御モジュール１１０〜１１ｎは、ＬＡＮ伝送路１４０及び収集分配モジュール５１２により構成されるスター型ＬＡＮを介して、主監視制御モジュール５０２に接続されている。
【００８７】
上記副監視制御モジュール１１０〜１１ｎは、対応する信号伝送部の動作状態をＣＰＵバス１５０〜１５ｎを介して監視している。その監視項目には、各機能基板１３０〜１３ｎの動作状態に加え、電源板１２０〜１２ｎの状態、つまり電源のオンオフ、電源電圧の異常、電源板の装着の有無が含まれている。
【００８８】
また副監視制御モジュール１１０〜１１ｎは、上記監視動作により得た各信号伝送部の動作状態、つまり機能基板１３０〜１３ｎの動作状態と電源板１２０〜１２ｎの状態とを、主監視制御モジュール５０２へ通知するべく、ＬＡＮ伝送路１４０へ送出する。
【００８９】
主監視制御モジュール５０２は、副監視制御モジュール１１０〜１１ｎからＬＡＮを介して転送された監視情報を、機能基板１３０〜１３ｎの動作状態を表す監視情報と、電源板１２０〜１２ｎの状態を表す監視情報とに分類する。そして、電源板１２０〜１２ｎの状態を表す監視情報が含まれていた場合には、この監視情報を優先的に処理する。
【００９０】
このような構成であるから、各信号伝送部において電源板１２０〜１２ｎの異常、例えば電源断や電源電圧異常、電源板の未装着が発生すると、この電源板１２０〜１２ｎの異常は他の機能基板１３０〜１３ｎの動作状態と共に副監視制御モジュール１１０〜１１ｎにおいて検出される。そして、この副監視制御モジュール１１０〜１１ｎからＬＡＮを介して主監視制御モジュール５０２へ転送される。
【００９１】
主監視制御モジュール５０２では、副監視制御モジュール１１０〜１１ｎからＬＡＮを介して監視情報が転送されると、この監視情報が機能基板１３０〜１３ｎの動作状態を表す監視情報と、電源板１２０〜１２ｎの状態を表す監視情報とに分類される。そして、電源板１２０〜１２ｎの状態を表す監視情報が含まれていた場合には、図示しない表示盤への警報の表示等の対応処理が優先的に行われる。
【００９２】
従って第７の実施形態によれば、各信号伝送部の電源板２０〜１２ｎの異常検出結果が、他の機能基板１３０〜１３ｎの異常監視情報と共に、副監視制御モジュール１１０〜１１ｎからＬＡＮを介して主監視制御モジュール５０２に転送されるので、電源板２０〜１２ｎの異常を主監視制御モジュール５０２に通知するために別途通信線を敷設する必要がなくなり、その分装置内の配線構造を簡素化することができる。また主監視制御モジュール５０２についても、上記電源板２０〜１２ｎの異常を受信するための通信ポートが一切不要になるので、主監視制御モジュール５０２の小型化とコストダウンを図ることができる。
【００９３】
なお、この第７の実施形態では、電源板１２０〜１２ｎの異常検出結果を、その他の機能基板１３０〜１３ｎの異常監視情報と共に副監視制御モジュール１１０〜１１ｎからＬＡＮを介して主監視制御モジュール５０２に転送する場合について述べた。しかし、副監視制御モジュール１１０〜１１ｎと主監視制御モジュール５０２との間の通信路として、第３の実施形態で述べたようにシリアル入出力バス１０を併用している場合には、このシリアル入出力バスを用いて電源板１２０〜１２ｎの異常検出結果を転送するようにすることも可能である。
【００９４】
（第８の実施形態）
この発明に係わる第８の実施形態は、各信号伝送部に対応して設けられた副監視制御モジュールに、信号伝送部のシェルフ番号を設定するためのディップスイッチを設け、このディップスイッチにより信号伝送部のシェルフ番号を設定することにより、主監視制御モジュールが管理している収集分配モジュールの各接続ポートに対する各信号伝送部の対応関係を任意に設定するようにしたものである。
【００９５】
図１５は、この第８の実施形態に係わる運用管理保守装置の要部構成を示す回路ブロック図である。なお、同図において前記図３と同一部分には同一符号を付して詳しい説明は省略する。
【００９６】
各副監視モジュール１５０〜１５ｎには、シェルフ番号設定用のディップスイッチ１６０〜１６ｎが設けてある。このディップスイッチ１６０〜１６ｎは、装置の新規構成時や運用開始後のレイアウト変更時に、保守担当者が信号伝送部のシェルフ番号をマニュアル入力するために使用される。
【００９７】
このような構成であるから、例えば構成仕様の変更に伴い、副監視モジュール１５０に接続されている高速信号伝送部１と、副監視制御モジュール１５１に接続されている低速信号伝送部２１とを入れ替える必要が生じたとする。この場合保守担当者は、副監視制御モジュール１５０のディップスイッチ１６０を操作して低速信号伝送部２１のシェルフ番号を入力設定するとともに、副監視制御モジュール１５１のディップスイッチ１６１を操作して高速信号伝送部１のシェルフ番号を入力設定する。このようにすると、信号伝送部１，２１の入れ替えが行われても、収集分配モジュール５１の各接続ポートと副監視制御モジュール１５０，１５１との対応関係がソフトウエア的に変更されることになる。
【００９８】
このため、信号伝送部１，２１の入れ替えに伴い、収集分配モジュール５１の各接続ポートと副監視制御モジュール１５０，１５１との間のＬＡＮ伝送路８０，８１の物理的な接続変更を行う必要はなくなる。したがって、装置内の接続レイアウトの新規設定及び変更をきわめて簡単に行うことができ、また配線の引き回しの自由度が高まることから配線の誤接続や接続し忘れも低減でき、これにより保守性及び信頼性を大幅に高めることが可能となる。
【００９９】
（第９の実施形態）
この発明に係わる第９の実施形態は、同一の伝送部を監視制御する副監視制御モジュールが、複数のサブモジュールから構成されている場合に、各サブモジュール間での情報通信を可能とすることにより情報の伝送効率を向上させるようにした構成を開示する。
【０１００】
ある伝送部に接続されるトリビュタリ伝送路ＬＬの伝送速度が、ＳＴＭ−６４（Synchronous Transport Module Level 64：１０Ｇｂｐｓに相当）クラスの太い回線である場合、この回線に接続される伝送部を監視制御する副監視制御モジュールを、複数のサブモジュールに分割して形成する場合が有る。この場合、一つのサブモジュールを現用系、別のサブモジュールを予備系とする冗長構成をとり、現用系サブモジュールに障害が発生した場合には、現用系サブモジュールに接続された信号を予備系サブモジュールに切り替えるようにすることが多い。
【０１０１】
このような構成の場合、各サブモジュール同士の間で情報通信を行うには、主監視制御モジュールが仲立ちする形で通信を行う必要がある。しかしながら、このような通信形態では情報の転送速度が抑圧され、リアルタイム通信の実現が難しくなる。このため、特に高速の情報伝送を必要とする冗長切替動作の動作時間が長くなるという問題がある。
【０１０２】
図１６に、本実施形態に係わる運用管理保守装置の要部構成を示す図である。同図において、副監視制御モジュール９０は、サブモジュール９０−Ａ、９０−Ｂから構成される。同様に副監視制御モジュール９１は、サブモジュール９１−Ａ、９１−Ｂから構成される。
【０１０３】
ここで本実施形態では、サブモジュール９０−Ａとサブモジュール９０−Ｂとの間にサブモジュール間通信ポートを備え、サブモジュール９０−Ａ，９０−Ｂ間の情報通信を直接に行えるようにした。また本実施形態では、サブモジュール９１−Ａとサブモジュール９１−Ｂとの間にサブモジュール間通信ポートを備え、サブモジュール９１−Ａ，９１−Ｂ間の情報通信を直接に行えるようにした。さらに他の副監視制御モジュールについても同様に、複数のサブモジュールを備えて形成される場合には、個々のサブモジュール間をサブモジュール間通信ポートを介して接続するようにした。
【０１０４】
上記構成において、主監視制御モジュール５０１の処理が不要で、かつサブモジュール間で共同で監視制御処理を行う場合の通信においては、適宜サブモジュール間通信ポートを使用するようにする。
【０１０５】
このような構成であるから、例えばサブモジュール９０−Ａに障害が発生して信号経路をサブモジュール９０−Ｂに迂回させる場合、そのためのメッセージ情報の授受を主監視制御モジュール５０１を経由せず、サブモジュール９０−Ａ，９０−Ｂ同士で直接に行うことが可能になる。これにより、サブモジュール９０−Ａ，９０−Ｂ間の冗長切り替え処理を高速化することが可能になる。
【０１０６】
さらには、サブモジュール間での情報通信に際して主監視制御モジュール５０１を経由せずとも良いので、特に主監視制御モジュール５０１に与えられる負荷を少なくすることができ、その結果、監視制御機能の信頼性を向上させることが可能になる。
【０１０７】
なお、本発明は上記各実施形態に限定されるものではない。前記各実施形態では、各副監視制御モジュールと主監視制御モジュールとの間を接続する信号伝送路としてスター型のＬＡＮを用いた場合について説明したが、リング状のＬＡＮを用いてもよい。リング状ＬＡＮを用いると、信号伝送部の設置台数が多い場合でもＬＡＮの配線構造は変わらないため、配線構造をさらに簡素化することができる。
【０１０８】
また、上記各実施形態ではＳＤＨに則したシステムに関して説明した。しかしながら本発明の思想はＳＤＨに限定されるものではなく、例えば米国における標準であるＳＯＮＥＴ（Synchronous Optical Network）にも適用できる。
【０１０９】
また、現時点では伝送信号を電気信号の状態で交換する伝送装置（以下ＡＤＭ（Add Drop Multiplexerと称する））が主流である。しかしながら将来のディジタル信号伝送システムでは、伝送信号を光信号の状態で交換する伝送装置（以下ＯＡＤＭ（Optical Add Drop Multiplexerと称する））が主流になることが予想される。
【０１１０】
ＡＤＭは「時分割多重された個々のスロットをパスとする」ものであるのに対し、ＯＡＤＭは「波長多重された個々の波長の光信号をパスとする」ものであり、両者は主としてこの点で相異する。すなわちＡＤＭではTime slot単位での多重を行っていたところ、ＯＡＤＭでは波長単位での多重を行う点に違いがある。しかしながら本願発明は、この種のノード（ＯＡＤＭ）に対しても適用することができる。なぜなら、本発明は「パスが時分割多重されていること」をその条件とするものではないからである。
【０１１１】
このほか、主監視制御モジュールと各副監視制御モジュールとの間を接続する信号伝送路の種類や構成、信号伝送部の種類やその設置台数、装置本体の構成などについても、この発明の要旨を逸脱しない範囲で種々変形して実施できる。
【０１１２】
【産業上の利用可能性】
以上述べたようにこの発明では、複数の伝送ユニットに対しバス型の第１の伝送路を介してそれぞれ第１の監視制御ユニットを接続し、これら第１の監視制御ユニットにより各伝送ユニットの動作状態を第１の伝送路を介してリアルタイムに監視するとともに、これら第１の監視制御ユニットに対し上記第１の伝送路より低速の第２の伝送路を介して第２の監視制御ユニットを接続し、この第２の監視制御ユニットにより、上記複数の第１の監視制御ユニットで得られた各伝送ユニットの監視情報を上記第２の伝送路を介して任意のタイミングで収集して、この収集した各監視情報をもとに装置内部の統合的な監視処理を実行するようにしている。
【０１１３】
従ってこの発明によれば、装置の運用、管理及び保守に係わる制御を物理的に集中させずに効率良く処理することができ、これにより装置の構成の簡素化と信頼性の向上を図り得るディジタル信号伝送装置を提供することができる。
【０１１４】
このことから本発明は、光海底ケーブルシステムに係わる技術分野、特にＳＤＨ／ＳＯＮＥＴに準拠するネットワークに係わる技術分野に有効である。
【図面の簡単な説明】
【図１】この発明に係わるディジタル伝送装置の第１の実施形態であるＳＤＨ伝送装置を備えた伝送システムの構成を示すシステム図。
【図２】この発明に係わるディジタル伝送装置の第１の実施形態であるＳＤＨ伝送装置の概略構成を示すブロック図。
【図３】図２に示したＳＤＨ伝送装置に設けられる運用管理保守装置の構成を示す回路ブロック図。
【図４】この発明の第２の実施形態における運用管理保守装置の要部構成とその動作を説明するための回路ブロック図。
【図５】この発明の第２の実施形態に係わる運用管理保守装置の要部構成とその動作を説明するための回路ブロック図。
【図６】この発明の第３の実施形態に係わる運用管理保守装置の構成を示す回路ブロック図。
【図７】図６に示した運用管理保守装置の要部構成を示す回路ブロック図。
【図８】この発明の第４の実施形態に係わるシリアル入出力バス１０およびＳＩＯ制御線ＳＳ１の構成を示す図。
【図９】図８の構成においてマスタからターゲットに向けた情報転送を行う際の通信手順を示す図。
【図１０】図８の構成においてターゲットからマスタに向けた情報転送を行う際の通信手順を示す図。
【図１１】この発明の第５の実施形態に係わるシリアル入出力バス１０およびＳＩＯ制御線ＳＳ１の構成を示す図。
【図１２】図１１の構成においてマスタからターゲットに向けた情報転送を行う際の通信手順、および、ターゲットからマスタに向けた情報転送を行う際の通信手順を示す図。
【図１３】この発明の第６の実施形態に係わる運用管理保守装置の構成を示す回路ブロック図。
【図１４】この発明の第７の実施形態に係わる運用管理保守装置の構成を示す回路ブロック図。
【図１５】この発明の第８の実施形態に係わる運用管理保守装置の構成を示す回路ブロック図。
【図１６】この発明の第９の実施形態に係わる運用管理保守装置の要部構成を示す回路ブロック図。
【符号の説明】
１…高速信号伝送部（ＨＳ）、２１〜２ｎ…低速信号伝送部（ＬＳ）、３…回線接続部（ＴＳＡ）、４…運用管理保守装置（ＯＡＭ）、５…運用管理保守装置本体、５０，５０１，５０２…主監視制御モジュール、５１，５１１…収集分配モジュール（ＨＵＢ）、５２…メッセージコントロールモジュール、５３…Ｑ３インタフェースモジュール（Ｑ  ＩＮＦ）、５４…ＲセクションＤＣＣインタフェースモジュール（ＥＣＣ  Ｒ）、５５…ＭセクションＤＣＣインタフェースモジュール（ＥＣＣ  Ｍ）、５６…リレーインタフェースモジュール、６０〜６ｎ，９０〜９ｎ，１１０〜１１ｎ…副監視制御モジュール、７，１５０〜１５ｎ…ＣＰＵバス、８，８０〜８ｎ，１４０…ＬＡＮ伝送路、１０，１００〜１０ｎ…シリアル入出力バス（ＳＩＯバス）、１２０〜１２ｎ…信号伝送部の電源板、１３０〜１３ｎ…信号伝送部の機能基板
【図１】
0003692079.tif 000002
【図２】
0003692079.tif 000003
【図３】
0003692079.tif 000004
【図４】
0003692079.tif 000005
【図５】
0003692079.tif 000006
【図６】
0003692079.tif 000007
【図７】
0003692079.tif 000008
【図８】
0003692079.tif 000009
【図９】
0003692079.tif 000010
【図１０】
0003692079.tif 000011
【図１１】
0003692079.tif 000012
【図１２】
0003692079.tif 000013
【図１３】
0003692079.tif 000014
【図１４】
0003692079.tif 000015
【図１５】
0003692079.tif 000016
【図１６】
0003692079.tif 000017